(57)【要約】【課題】シール部材の収縮を抑えて、シール部材の貯蔵庫本体への固着やシール部材と貯蔵庫本体との隙間の発生を抑制することが可能な貯蔵庫を提供する。【解決手段】制御装置７０が、冷却装置４４を制御する冷却装置制御部８０と前面枠ヒータ６０を制御する前面枠ヒータ制御部８４と、を有するものとし、その前面枠ヒータ制御部８４が、冷却装置制御部８０によって冷却装置４４が作動させられている場合に、前面枠ヒータ６０を作動させる冷却時作動処理を実行するとともに、冷却装置４４が作動していない場合に、シール部材２６の温度が低下している状況下になると、前面枠ヒータ６０を作動させる非冷却時作動処理を実行するように構成する。【選択図】図５
2020173035.tif 000002
【特許請求の範囲】
【請求項１】
貯蔵室を有して前方に開口する箱状の貯蔵庫本体と、
前記貯蔵庫本体に取り付けられて前記貯蔵室を開閉可能な扉と、
前記扉の裏面に設けられて前記貯蔵庫本体における枠状の前端面と前記扉との間を塞ぐためのシール部材と、
前記貯蔵室を冷却する冷却装置と、
前記貯蔵庫本体における前記前端面を加熱する前面枠ヒータと、
前記冷却装置を制御する冷却装置制御部と前記前面枠ヒータを制御する前面枠ヒータ制御部とを有する制御装置と、
を備え、
前記前面枠ヒータ制御部は、前記冷却装置制御部によって前記冷却装置が作動させられている場合に、前記前面枠ヒータを作動させる冷却時作動処理を実行するとともに、前記冷却装置が作動していない場合に、前記シール部材の温度が低下している状況下になると、前記前面枠ヒータを作動させる非冷却時作動処理を実行する貯蔵庫。
【請求項２】
前記前面枠ヒータ制御部は、前記非冷却時作動処理において、前記貯蔵室内の温度である内部温度と前記貯蔵室外の温度である外部温度との少なくとも一方に基づいて、前記シール部材の温度が低下している状況下にあると判断すると、前記前面枠ヒータを作動させる請求項１に記載の貯蔵庫。
【請求項３】
前記前面枠ヒータ制御部は、前記内部温度が閾内部温度以下かつ前記外部温度が閾外部温度以下となった場合に、前記シール部材の温度が低下している状況下にあると判断し、前記前面枠ヒータを作動させる請求項２に記載の貯蔵庫。
【請求項４】
少なくとも前記冷却装置の作動を許容すべく当該貯蔵庫を起動させた起動状態と、前記冷却装置の作動を許容しない非起動状態と、を切り替える主電源を備え、
前記前面枠ヒータおよび前記前面枠ヒータ制御部は、前記主電源によって前記非起動状態とされている場合にも作動可能とされ、
前記前面枠ヒータ制御部は、前記起動状態と前記非起動状態との両者において、前記非冷却時作動処理を実行可能とされた請求項１から請求項３のいずれか１項に記載の貯蔵庫。
【請求項５】
前記貯蔵室を加熱する加熱装置を備えた請求項１から請求項４のいずれか１項に記載の貯蔵庫。
【発明の詳細な説明】
【技術分野】
【０００１】
本発明は、貯蔵庫に関する。
【背景技術】
【０００２】
下記特許文献１には、貯蔵庫として冷却庫が記載され、この冷却庫は、貯蔵室を有する貯蔵庫本体と、その貯蔵庫本体に取り付けられて貯蔵室を開閉可能な扉と、その扉の裏面に設けられて貯蔵庫本体と扉との間を塞ぐためのシール部材（パッキン）と、貯蔵庫本体の開口の開口縁に設けられたヒータと、を備えたものとされる。そして、貯蔵室内の冷却温度に基づいて、ヒータの発熱量を制御するように構成されており、冷却中のパッキンの温度を調整して、結露や扉の凍り付きを抑制することが可能となっている。また、下記特許文献２には、貯蔵庫として、食品等を急速に冷却することが可能な急速冷却庫が記載されている。
【先行技術文献】
【特許文献】
【０００３】
【特許文献１】特開平１１−３４４２８２号公報
【特許文献２】特開２０１４−２１５０１９号公報
【発明の概要】
【発明が解決しようとする課題】
【０００４】
上記のシール部材は、一般的に、貯蔵庫本体と扉との間をしっかりと塞ぐために軟質性の素材からなる。そして、例えば、上記特許文献２に記載された急速冷却庫のように、冷却運転を停止することがある貯蔵庫や、庫内を冷却するだけでなく加熱することも可能な貯蔵庫においては、シール部材の温度変化が大きい。そして、シール部材が、温められて膨張したり柔らかくなったりした後に、再び冷やされると、シール部材は収縮することになる。そのシール部材の収縮によって、シール部材が貯蔵庫本体に固着して、扉を開ける際に大きな力が必要となったり、シール部材と貯蔵庫との間に隙間が生じて、貯蔵庫内の空気が外部に漏れたりする虞がある。
【０００５】
本発明は、そのような実情に鑑みてなされたものであり、シール部材の収縮を抑えて、シール部材の貯蔵庫本体への固着やシール部材と貯蔵庫本体との隙間の発生を抑制することが可能な貯蔵庫を提供することを課題とする。
【課題を解決するための手段】
【０００６】
上記課題を解決するために本発明の貯蔵庫は、
貯蔵室を有して前方に開口する箱状の貯蔵庫本体と、
前記貯蔵庫本体に取り付けられて前記貯蔵室を開閉可能な扉と、
前記扉の裏面に設けられて前記貯蔵庫本体における枠状の前端面と前記扉との間を塞ぐためのシール部材と、
前記貯蔵室を冷却する冷却装置と、
前記貯蔵庫本体における前記前端面を加熱する前面枠ヒータと、
前記冷却装置を制御する冷却装置制御部と前記前面枠ヒータを制御する前面枠ヒータ制御部とを有する制御装置と、
を備え、
前記前面枠ヒータ制御部は、前記冷却装置制御部によって前記冷却装置が作動させられている場合に、前記前面枠ヒータを作動させる冷却時作動処理を実行するとともに、前記冷却装置が作動していない場合に、前記シール部材の温度が低下している状況下になると、前記前面枠ヒータを作動させる非冷却時作動処理を実行することを特徴とする。
【０００７】
冷却装置による冷却運転を停止させている場合において、貯蔵庫の周囲の温度が低くなると、シール部材の温度も低下して、シール部材が収縮する虞がある。しかしながら、この構成の貯蔵庫は、シール部材の温度が低下している状況下（以下、「シール部材低温状況下」と呼ぶ場合がある。）において、前面枠ヒータを作動させてシール部材を温めることができ、シール部材の収縮を抑えることができる。したがって、この構成の貯蔵庫によれば、シール部材の収縮による貯蔵庫本体への固着や、シール部材と貯蔵庫本体との隙間の発生を抑制することができる。なお、このシール部材低温状況下にあるか否かは、例えば、庫内の温度、貯蔵庫の周囲の温度、冷却運転が停止させられてからの経過時間（前面枠ヒータが切られてからの経過時間）、非冷却時作動処理が前回実行されてからの経過時間等のうちから１つあるいは複数の組み合わせによって推定するような構成とすることができる。
【０００８】
上記構成の貯蔵庫において、前記前面枠ヒータ制御部は、前記非冷却時作動処理において、前記貯蔵室内の温度である内部温度と前記貯蔵室外の温度である外部温度との少なくとも一方に基づいて、前記シール部材の温度が低下している状況下にあると判断すると、前記前面枠ヒータを作動させる構成とすることができる。
【０００９】
この構成の貯蔵庫は、シール部材低温状況下にあるか否かを推定するための指標として、内部温度と外部温度との少なくとも一方を用いており、シール部材の温度低下を適切に推定することができる。
【００１０】
また、上記構成の貯蔵庫において、前記前面枠ヒータ制御部は、前記内部温度が閾内部温度以下かつ前記外部温度が閾外部温度以下となった場合に、前記シール部材の温度が低下している状況下にあると判断し、前記前面枠ヒータを作動させる構成とすることができる。
【００１１】
この構成の貯蔵庫は、内部温度と外部温度との両者が閾値以下となった場合に前面枠ヒータを作動させる。一方、内部温度と外部温度との一方が閾値を超えた場合に、前面枠ヒータが停止させられることになる。例えば、内部温度と外部温度との一方のみを監視している場合には、それらの他方の温度が上昇しても、その監視している温度が上昇しなければ、前面枠ヒータは作動し続けることになる。この構成の貯蔵庫によれば、そのような事態を回避し、シール部材の温度を適切な温度に保つことができる。
【００１２】
また、上記構成の貯蔵庫において、少なくとも前記冷却装置の作動を許容すべく当該貯蔵庫を起動させた起動状態と、前記冷却装置の作動を許容しない非起動状態と、を切り替える主電源を備え、前記前面枠ヒータおよび前記前面枠ヒータ制御部は、前記主電源によって前記非起動状態とされている場合にも作動可能とされ、前記前面枠ヒータ制御部は、前記起動状態と前記非起動状態との両者において、前記非冷却時作動処理を実行可能とされた構成とすることができる。
【００１３】
この構成の貯蔵庫は、主電源が非起動状態とされている場合においてもシール部材の温度低下を抑えることができ、非起動状態にある場合や主電源を起動状態した直後においても、シール部材の収縮による貯蔵庫本体への固着や、シール部材と貯蔵庫本体との隙間の発生を抑制することができる。
【００１４】
また、上記構成の貯蔵庫において、前記貯蔵室を加熱する加熱装置を備えた構成とすることができる。
【００１５】
この構成の貯蔵庫は、庫内の温度調節や庫内の乾燥等を目的で、加熱装置が設けられたものとなっている。この構成の貯蔵庫は、庫内の温度が一時的に高められことで、シール部材も、一時的に温度が高くなり、膨張しやすい。つまり、この構成の貯蔵庫においては、シール部材の温度低下が大きく、その温度低下によるシール部材の圧縮が特に生じやすい。したがって、この構成の貯蔵庫には、上記の非冷却時に前面枠ヒータを作動させる非冷却時作動処理が、特に有効である。
【発明の効果】
【００１６】
本発明によれば、シール部材の収縮を抑えて、シール部材の貯蔵庫本体への固着やシール部材と貯蔵庫本体との隙間の発生を抑制することが可能な貯蔵庫を提供することができる。
【図面の簡単な説明】
【００１７】
【図１】本発明の実施例の貯蔵庫である急速冷却庫の正面図である。
【図２】図１に示す急速冷却庫の斜視図（２枚の扉とピラーとを外し、カートを出した状態の図）である。
【図３】図１示した右側の扉を開いて貯蔵室を開口させた状態を示す図である。
【図４】図１に示した急速冷却庫の正面断面図である。
【図５】図２に示した制御装置の機能構成を示すブロック図である。
【図６】図２に示した制御装置において実行される前面枠ヒータ制御プログラムを示すフローチャートである。
【発明を実施するための形態】
【００１８】
以下、本発明を実施するための形態として、本発明のいくつかの実施例を、図を参照しつつ詳しく説明する。なお、本発明は、下記の実施例に限定されるものではなく、当業者の知識に基づいて種々の変更、改良を施した種々の態様で実施することができる。
【００１９】
＜貯蔵庫の構成＞
本発明の実施例である貯蔵庫としての急速冷却庫１０を、図１および図２に示す。本急速冷却庫１０は、ブラストチラーとも呼ばれるものであり、調理された高温の食品を＋３℃などの低温に短時間で冷却するものである。本急速冷却庫１０は、全体として縦長の長方形状をなしており、前方に開口する箱状の筐体である冷却庫本体（貯蔵庫本体）１１と、その冷却庫本体１１の開口を開閉する２枚の扉１２，１３と、冷却庫本体１１の上方に配された機械室１４と、を含んで構成される。また、本急速冷却庫１０は、カートインタイプ（トロリータイプ）のものであり、冷却庫本体１１内に収容可能なカート１５も備えている。なお、以下の説明では、扉１２，１３側を前側、扉１２，１３とは反対側を後側（背面側）とし、正面視（急速冷却庫１０を前側から視た状態）における左右方向（図１の左右方向）を、急速冷却庫１０の左右方向として、説明することとする。
【００２０】
冷却庫本体１１には、開口側の上端と下端との間にピラー１６が取り付けられている。そのピラー１６によって、冷却庫本体１１の開口は、左右方向に分割されており、縦長の長方形状の２つの開口が形成されている。そして、冷却庫本体１１の内部である庫内は、図２に示すように、庫内におけるピラー１６の右側の領域が、被冷却物である食品が収容される収容室（貯蔵室）２０とされ、ピラー１６の左側の領域が、冷却ユニット２１が設置される設置室２２とされている。そして、冷却庫本体１１の枠状の前端面１１Ａにおける右側の側端部には、相対的に大きな方の扉１２が回動可能に取り付けられるとともに、右側の側端部には、相対的に小さな方の扉１３が回動可能に取り付けられている。つまり、収容室２０は、右側の扉１２によって開閉可能とされ、設置室２２は、左側の扉１３によって開閉可能とされている。
【００２１】
なお、急速冷却庫１０は、扉１２および扉１３を閉状態で保持するためのロック機構２３を備えている。そのロック機構２３は、右側の扉１２の表面に設けられたレバー２４と、左側の扉１３に設けられた係合部２５と、を含んで構成される。そして、レバー２４を係合部２５に係合させることで、扉１２および扉１３をロック状態とし、レバー２４の係合部２５への係合を解除することで、扉１２および扉１３をアンロック状態とすることが可能となっている。
【００２２】
また、図３に示すように、扉１２には、その裏面における周縁部に沿って、冷却庫本体１１の前端面１１Ａあるいはピラー１６の前面との間を塞ぐためのシール部材としてのパッキン２６が取り付けられている。そのパッキン２６は、本実施例においては、軟質ポリ塩化ビニル製のものとされている。
【００２３】
上記の収容室２０には、上述したカート１５の上側の大部分が収容されるような構成となっている。次に、そのカート１５について簡単に説明する。カート１５は、図２に示すように、キャスタ３０を備えた方形枠状の台車部３１と、その台車部３１の上方側に位置して被冷却物である食品を載置するカート本体部３２と、それら台車部３１とカート本体部３２とを接続する接続部３３と、を備える。接続部３３は、台車部３１の前端部から立設している。カート本体部３２は、その接続部３３の後側の上部から後方に向かって延びる基盤３４と、その基盤３４上に設けられた縦長の門型をなす前後一対のフレーム３５と、一対のフレーム３５の間にわたって設けられた複数対のトレイ受け３６と、を含んで構成される。つまり、そのような構成とされたカート１５を冷却庫本体１１に向かって移動させると、台車部３１が冷却庫本体１１の下側に入り込み、カート本体部３２が収容室２０に収容されるようになっている。
【００２４】
先にも述べたように、設置室２２には、冷却ユニット２１が設置されている。その冷却ユニット２１は、図４に示すように、２基の冷却器４０（蒸発器）と３基の庫内ファン４１とをケーシング４２内に収めてユニット化したものである。冷却器４０は、ケーシング４２内の左側に配されており、冷媒配管を介して、機械室１４に設けられた圧縮機や凝縮器を含む冷凍装置４３と循環接続されることで冷凍サイクルを構成するものとされる。つまり、冷却ユニット２１，冷凍装置４３，冷媒管等を含んで、収容室２０を冷却する冷却装置４４が構成されている。
【００２５】
なお、収容室２０を冷却する冷却運転において、冷凍装置４３と庫内ファン４１とが作動させられると、収容室２０の空気がケーシング４２内に吸引され、その吸引された空気が冷却器４０を通過する際に冷やされることで冷気となり、ケーシング４２の左側から外部に吹き出された冷気が冷却庫本体１１の左側の内壁面１１Ｂに当たった後、ケーシング４２を回り込むようにして収容室２０に送り込まれる。このような空気の循環が連続的に行われることで収容室２０が冷却されるようになっている。
【００２６】
また、冷却ユニット２１は、庫内ヒータ４５も備えている。その庫内ヒータ４５は、冷却器４０の右側面に設けられており、庫内を乾燥させる乾燥運転を行う際に用いられる。なお、その乾燥運転は、例えば、庫内の洗浄を行った後等に実行される。
【００２７】
本急速冷却庫１０は、庫内の洗浄を行う洗浄装置５０を備えている。その洗浄装置５０は、図３および図４に示すように、冷却庫本体１１の内部における天面に設けられている。洗浄装置５０は、複数のノズル５１，５２，５３と、それら複数のノズル５１，５２，５３を回転させる回転軸５４とを含んで構成され、回転軸５４まわりに回転させられた複数のノズル５１，５２，５３から種々の方向に洗浄液や水を噴射し、冷却庫本体１１内を隅々まで洗浄可能なものとなっている。また、本急速冷却庫１０は、庫内の除菌を行う除菌装置５５を備えている。その除菌装置５５は、紫外線の殺菌効果を利用したＵＶ除菌装置であり、冷却庫本体１１の右側の内壁面１１Ｃに、上下方向に間隔をおいて３つ設けられている。
【００２８】
さらに、本急速冷却庫１０は、図３に示すように、冷却庫本体１１の開口縁の結露防止や扉１２，１３の冷却庫本体１１への凍り付き防止等を目的として、前面枠ヒータ６０が設けられている。具体的に言えば、前面枠ヒータ６０は、冷却庫本体１１の前端面１１Ａを内側から加熱する本体用ヒータ６１と、ピラー１６の前面を内側から加熱するピラー用ヒータ６２と、からなる。それら本体用ヒータ６１およびピラー用ヒータ６２は、コードヒータであり、冷却庫本体１１およびピラー１６の前面を形成する部分の内面に貼り付けられている。そして、本体用ヒータ６１の右側部分およびピラー用ヒータ６２の右側部分が、扉１２の周縁部に沿って、本体用ヒータ６１の左側部分およびピラー用ヒータ６２の左側部分が、扉１３の周縁部に沿って配されている。つまり、それら本体用ヒータ６１およびピラー用ヒータ６２は、閉状態とされた扉１２のパッキン２６および扉１３のパッキンに対向する箇所に配されており、冷却中のパッキンの温度を調整することで、結露や扉の凍り付きを抑制することが可能となっている。
【００２９】
本急速冷却庫１０は、図２に示すように、機械室１４に配された制御装置７０を備えており、その制御装置によって、上述した冷却装置４４，庫内ヒータ４５，洗浄装置５０，除菌装置５５，前面枠ヒータ６０が制御される。制御装置７０は、ＣＰＵ，ＲＯＭ，ＲＡＭを含むコンピュータを主体とするものであり、冷却装置４４（詳しくは、圧縮機，凝縮器や庫内ファン４１等），庫内ヒータ４５，洗浄装置５０，除菌装置５５，前面枠ヒータ６０等が、電気的に接続されている。また、本急速冷却庫１０は、図５に示すように、庫内の温度（収容室２０の内部の温度である内部温度）ＴＩＮを検出する庫内温度センサ７１と、庫外の温度（収容室２０の外部の温度である外部温度）ＴＯＵＴを検出する庫外温度センサ７２と、を備えており、それらも制御装置７０に接続されている。
【００３０】
また、本急速冷却庫１０は、図１に示すように、ユーザーの操作を受け付けるための操作パネル７３を備えており、その操作パネル７３も制御装置７０に接続されている。なお、その操作パネル７３の近傍には、主電源７４が設けられており、その主電源７４によって、本急速冷却庫１０は、冷却運転や乾燥運転等を作動させるべく本急速冷却庫１０を起動させた起動状態と、本急速冷却庫１０を停止させた非起動状態と、が切り替えられる。なお、この非起動状態は、本急速冷却庫１０が、通電された状態を前提としている。
【００３１】
＜急速冷却庫の制御＞
制御装置７０が有するＲＯＭには、本急速冷却庫１０を制御するための種々のプログラム等が記憶されており、制御装置７０は、それらプログラムを実行することで、本急速冷却庫１０を制御するようになっている。
【００３２】
ｉ）急速冷却運転
本急速冷却庫１０の運転モードの主体となる急速冷却運転は、調理された高温の食品を急速に冷却する運転モードである。急速冷却運転は、食品を載置したトレイをトレイ受け３６に保持させたカート１５を本急速冷却庫１０の収容室２０に収容した後、操作パネル７３を操作して急速冷却運転の開始をユーザーが指示すると開始される。
【００３３】
急速冷却運転において、制御装置７０は、冷却装置４４の庫内ファン４１と冷凍装置４３（詳しく言えば、圧縮機，凝縮器ファン）と、を作動させる。先にも述べたが、冷凍装置４３と庫内ファン４１とを作動させると、収容室２０の空気がケーシング４２内に吸引され、その吸引された空気が冷却器４０を通過する際に冷やされることで冷気となり、ケーシング４２の左側から外部に吹き出された冷気が冷却庫本体１１の左側の内壁面１１Ｂに当たった後、ケーシング４２を回り込むようにして収容室２０に送り込まれる。これにより庫内を冷気が循環し、食品が急速に冷却される。なお、制御装置７０は、急速冷却運転を開始すると芯温センサによって食品の温度を監視し、食品が所定温度まで冷却されると急速冷却運転を終了する。
【００３４】
なお、この急速冷却運転が行われている場合には、庫内と庫外との温度差により冷却庫本体１１の開口付近、換言すれば、扉１２，１３の周縁部において、結露が生じやすく、その結露が凍ることで扉１２，１３が冷却庫本体１１に凍り付いてしまう虞がある。そこで、本急速冷却庫１０は、急速冷却運転中においては、前面枠ヒータ６０を作動させて、その結露を防止するようになっている（冷却時作動処理）。
【００３５】
ｉｉ）乾燥運転
また、本急速冷却庫１０は、庫内を乾燥させる運転モードとして乾燥運転が可能倒されている。その乾燥運転は、例えばユーザーが庫内を洗浄した後に、操作パネル７３を操作して乾燥運転の開始を指示すると開始される。
【００３６】
乾燥運転において、制御装置７０は、は、庫内ヒータ４５と庫内ファン４１とを作動させる。庫内ヒータ４５に通電して庫内ファン４１を回転させると、庫内に温風が送り出されて庫内温度が上昇し、庫内の水分が徐々に水蒸気に変化する。水分が水蒸気に変化すると体積が膨張して庫内の圧力が上がり、それにより、排気口から水蒸気を排気させるとともに、吸気口から庫内に外気を吸い込んで、庫内を乾燥させるようになっている。
【００３７】
ｉｉｉ）お手入れ運転
また、本急速冷却庫１０は、洗浄装置５０によって庫内を自動洗浄することが可能となっており、その自動洗浄後に上記の乾燥運転と、その乾燥運転後に除菌装置５５によるＵＶ除菌と、連続して行うことが可能とされている。急速冷却運転を行った後、操作パネル７３を操作してお手入れ運転の開始を指示すると開始される。なお、このお手入れ運転が完了した後には、主電源７４を起動状態から非起動状態に切り替えるようにすることが可能となっている。
【００３８】
ｉｖ）前面枠ヒータの制御（非冷却時作動処理）
上述した乾燥運転が行われると、庫内の温度は６０℃近くまで上昇する。その庫内の温度上昇や水蒸気による庫内の湿度上昇に伴って、庫内と庫外との境界にある扉１２のパッキン２６や扉１３のパッキンは、温められて柔らかくなり（膨張し）、冷却庫本体１１およびピラー１６の前面になじんで、例えば接する面積が大きくなる。そして、乾燥運転やお手入れ運転が終了した後は、常温に戻されることになるが、外気温が低い環境に長時間さらされると、パッキン２６も温度が下がって収縮することになる。その収縮により、パッキン２６は、冷却庫本体１１やピラー１６に固着し、扉１２を開ける際に大きな力が必要となったり、扉１２と冷却庫本体１１やピラー１６との間に隙間が生じたりする虞がある。
【００３９】
それに対処するために、本急速冷却庫１０は、冷却運転、乾燥運転、お手入れ運転等種々の運転が行われていない場合において、パッキン２６の温度が低下している状況下（以下、「パッキン低温状況下」と呼ぶ場合がある。）になると、制御装置７０が、前面枠ヒータを作動させるようになっており、パッキン２６の温度低下が抑えられるようになっている。詳しく言えば、制御装置７０は、庫内温度センサ７１により検出された内部温度ＴＩＮと、庫外温度センサ７２により検出された外部温度ＴＯＵＴとに基づいて、パッキン低温状況下にあるか否かを判断し、パッキン低温状況下にあると判断されると、前面枠ヒータ６０を作動させるのである。
【００４０】
本実施例の急速冷却庫１０においては、制御装置７０は、外部温度ＴＯＵＴが閾外部温度Ｔ０以下で、かつ、内部温度ＴＩＮが閾内部温度Ｔ１以下となった場合に、パッキン低温状況下にあると判断し、前面枠ヒータ６０を作動させる。そして、外部温度ＴＯＵＴと内部温度ＴＩＮとのいずれか一方の温度が高くなった場合、具体的には、外部温度ＴＯＵＴが閾外部温度Ｔ０より高くなった場合、あるいは、内部温度ＴＩＮが閾内部温度Ｔ１より高くなった場合に、作動させた前面枠ヒータ６０を停止させるようになっている。
【００４１】
本急速冷却庫１０は、加熱装置としての庫内ヒータ４５によって、庫内の温度が一時的に高くなる場合があり、パッキン２６の温度も高くなりやすい。つまり、本実施例の急速冷却庫１０は、パッキン２６の温度差が大きく、温度低下によるパッキン２６の収縮量が大きくなりやすいが、上記の前面枠ヒータ６０の非冷却時作動処理によって、パッキン２６の温度低下を効果的に抑えることができる。
【００４２】
なお、パッキン低温状況下にあるか否かの判断は、上記の手段に限定されない。例えば、外部温度ＴＯＵＴと内部温度ＴＩＮとのいずれか一方のみで判断するようにしてもよい。ただし、外部温度ＴＯＵＴと内部温度ＴＩＮとのいずれか一方のみで、前面枠ヒータ６０のオン・オフを制御する場合、監視していない方の温度が上がらないような場合には、前面枠ヒータ６０を停止させるタイミングが遅れ、冷却庫本体１１やピラー１６の前面が熱くなる虞がある。したがって、本実施例の急速冷却庫１０は、外部温度ＴＯＵＴと内部温度ＴＩＮとのいずれか一方の温度が高くなった場合に、前面枠ヒータ６０を停止させるため、上記のような加熱し過ぎるような事態を回避することができる。
【００４３】
また、パッキン低温状況下にあるか否かの判断は、乾燥運転が終了してからの経過時間や、前面枠ヒータ６０を停止させた状態としてからの経過時間、あるいは、それら経過時間と、上記の温度との組み合わせによって、判断するようにしてもよい。
【００４４】
また、本実施例の急速冷却庫１０は、起動状態にある場合だけでなく、非起動状態にある場合にも、制御装置７０は作動しており、その制御装置７０によって前面枠ヒータ６０を作動させることが可能とされている。つまり、制御装置は、起動状態、非軌道状態に関わらず、前面枠ヒータ６０の非冷却時作動処理を実行することが可能とされている。したがって、本急速冷却庫１０は、主電源７４によって起動状態とした直後においても、先に述べたパッキン２６の収縮による扉１２，１３の冷却庫本体１１への固着や、それらの間の隙間の発生を抑えることができる。
【００４５】
＜前面枠ヒータの制御プログラム＞
上述した前面枠ヒータ６０の制御は、制御装置７０によって、図６にフローチャートを示す前面枠ヒータ制御プログラムが、短い時間間隔をおいて繰り返し実行されることによって行われる。以下に、その前面枠ヒータ制御プログラムについて、説明する。
【００４６】
前面枠ヒータ制御プログラムでは、まず、ステップ１（以下、「Ｓ１」と省略する。他のステップも同様である。）において、冷却装置４４が作動しているか否か（冷却運転中か否か）が判断され、冷却運転中においては、Ｓ２〜Ｓ４がスキップされ、Ｓ５において前面枠ヒータ６０が作動させられる。一方、冷却運転が行われていない場合には、Ｓ２において、他の機能（乾燥運転、お手入れ運転等）が実行されているか否かが判断され、他の機能が実行されている場合には、Ｓ６において、前面枠ヒータ６０は作動させられないようになっている。
【００４７】
Ｓ２において他の機能が実行されていない場合には、Ｓ３において、庫外温度センサ７２によって検出された外部温度ＴＯＵＴが閾外部温度Ｔ０以下か否かが判断されるとともに、Ｓ４において、庫内温度センサ７１によって検出された内部温度ＴＩＮが閾内部温度Ｔ１以下か否かが判断される。そして、外部温度ＴＯＵＴが閾外部温度Ｔ０以下、かつ、内部温度ＴＩＮが閾内部温度Ｔ１以下である場合には、パッキン２６の温度が低下している状況下にあると判断し、前面枠ヒータ６０が作動させられる。
【００４８】
一方、外部温度ＴＯＵＴが閾外部温度Ｔ０より高い場合、あるいは、内部温度ＴＩＮが閾内部温度Ｔ１より高い場合には、Ｓ６において、前面枠ヒータ６０が停止させられる。つまり、前面枠ヒータ６０が作動させられている場合において、外部温度ＴＯＵＴと内部温度ＴＩＮとのいずれか一方が閾値より高くなると、前面枠ヒータ６０が停止させられるようになっている。以上で、前面枠ヒータ制御プログラムの１回の実行が終了する。
【００４９】
＜制御装置の機能構成＞
制御装置７０は、図５にブロック図で示すような機能構成、つまり、上記のプログラム等を実行する機能部等のいくつかの機能部を有する機能構成のものとされていると考えることができる。具体的には、まず、制御装置７０は、冷却運転において冷却装置４４を制御する冷却装置制御部８０と、乾燥運転等において庫内ヒータ４５を制御する庫内ヒータ制御部８１と、お手入れ運転等において洗浄装置５０を制御する洗浄装置制御部８２と、お手入れ運転等において除菌装置５５を制御する除菌装置制御部８３と、起動状態・非起動状態に関わらず常時に前面枠ヒータ６０を制御する前面枠ヒータ制御部８４と、を備えている。
【００５０】
また、上述した前面枠ヒータ制御プログラムの実行によれば、上記の前面枠ヒータ制御部８４は、Ｓ１およびＳ５の処理を実行する機能部として、冷却装置制御部８０によって冷却装置４４が作動させられている場合に前面枠ヒータ６０を作動させる冷却時作動処理を実行する冷却時作動処理部８５と、Ｓ２〜Ｓ６の処理を実行する機能部として、冷却装置４４が作動していない場合にパッキン２６の温度が低下している状況下になると前面枠ヒータ６０を作動させる非冷却時作動処理を実行する非冷却時作動処理部８６と、を含んで構成されていると考えることができる。
【００５１】
＜他の実施形態＞
本実施例の貯蔵庫は、急速冷却庫とされていたが、それに限定されず、冷却運転を停止させる場合のある貯蔵庫に広く適用可能である。また、本実施例の貯蔵庫は、庫内を加熱する加熱装置として庫内ヒータ４５を備えたものであったが、備えていないものであってもよい。ただし、加熱装置を備えた貯蔵庫は、シール部材の温度が高くなりやすいため、そのような貯蔵庫には、本発明の貯蔵庫が特に有効である。
【符号の説明】
【００５２】
１０…急速冷却庫〔貯蔵庫〕、１１…冷却庫本体〔貯蔵庫本体〕、１１Ａ…前端面、１２…扉、１６…ピラー、２０…収容室〔貯蔵室〕、２１…冷却ユニット、２６…パッキン〔シール部材〕、４０…冷却器、４１…庫内ファン、４３…冷凍装置、４４…冷却装置、４５…庫内ヒータ〔加熱装置〕、６０…前面枠ヒータ、７０…制御装置、７１…庫内温度センサ、７２…庫外温度センサ、７４…主電源、８０…冷却装置制御部、８４…前面枠ヒータ制御部、８５…冷却時作動処理部、８６…非冷却時作動処理部
【図１】
2020173035.tif 000003
【図２】
2020173035.tif 000004
【図３】
2020173035.tif 000005
【図４】
2020173035.tif 000006
【図５】
2020173035.tif 000007
【図６】
2020173035.tif 000008